(57)【要約】      （修正有）【課題】パーティーなど催事の席にて用いる微小薄片散布器を提供する。【解決手段】筒体１内にカタパルト体２を収納し、該カタパルト体２をバネ付勢により駆動し、このカタパルト体２によって、筒体１内に収納した紙、布、プラスチックフィルム等から成る微小薄片４、4aを吹き飛ばす。【選択図】図１
0003122818.tif 000002
【実用新案登録請求の範囲】
【請求項１】
筒体内の一端側にカタパルト体を収納し、該カタパルト体は筒体の他端側にバネ付勢されると共に、該カタパルト体に係合及び係合解除可能なストッパーによって、筒体一端側にて係止されており、筒体内のカタパルト体と筒体他端の間に紙、布、プラスチックフィルム等から成る微小薄片を収納したことを特徴とする微小薄片散布器。
【請求項２】
筒体内の一端側に、容器体に圧縮気体を封入して成した爆裂体と、該爆裂体を破裂させる起爆手段とを収納し、該起爆手段の操作端末部を筒体外に具備させ、筒体内の爆裂体と筒体他端の間に紙、布、プラスチックフィルム等から成る微小薄片を収納したことを特徴とする微小薄片散布器。
【考案の詳細な説明】
【技術分野】
【０００１】
本考案は、パーティーなど催事の席にて用いる微小薄片散布器に関する。
【背景技術】
【０００２】
従来より、パーティーなど催事の席では、場の雰囲気を盛り上げるために、しばしばクラッカーが使用されている。
クラッカーとは、円錐形の紙筒の中に様々に着色した紙片や紙テープを収納して成り、尖端に設けられた紐を強く引くと、紙筒内に備えた炸薬が爆裂して、爆音と共に紙片や紙テープを撒き散らす様にしたおもちゃである。
【考案の開示】
【考案が解決しようとする課題】
【０００３】
ところが、炸薬爆裂時に大音響が響き、場の雰囲気を盛り上げるどころか、かえって興ざめを招くこともあり、また火薬臭が漂うことから、食事の席には不適である等問題があった。
【課題を解決するための手段】
【０００４】
本考案は、上記課題に鑑み、筒体内にカタパルト体を収納し、該カタパルト体をバネ付勢により駆動し、このカタパルト体によって、筒体内に収納した紙、布、プラスチックフィルム等から成る微小薄片を吹き飛ばすか、或いは、圧縮気体を容器体に封入して爆裂体と成し、該爆裂体を筒体内に収納し、これを破裂させ、その爆風によって、微小薄片を吹き飛ばす様にして、上記課題を解決する。
【考案の効果】
【０００５】
要するに本考案は、筒体内の一端側にカタパルト体を収納し、該カタパルト体は筒体の他端側にバネ付勢されると共に、該カタパルト体に係合及び係合解除可能なストッパーによって、筒体一端側にて係止されており、筒体内のカタパルト体と筒体他端の間に紙、布、プラスチックフィルム等から成る微小薄片を収納したので、ストッパーの係合解除によりカタパルト体は筒体他端側へと勢い良く移動し、かかるカタパルト体によって、微小薄片は他端側へ加速されて、筒体から飛び出す。
従って、従前のクラッカー程大きな音を発生せず、また火薬が不要のため、不快な臭いも出ず、食事の席とか、小さな子供や老人が同席する場であっても、安心して安全に使用させることが出来る。
【０００６】
筒体内の一端側に、容器体に圧縮気体を封入して成した爆裂体と、該爆裂体を破裂させる起爆手段とを収納し、筒体内の爆裂体と筒体他端の間に紙、布、プラスチックフィルム等から成る微小薄片を収納したので、爆風によって、微小薄片を吹き飛ばして、上記効果と同様の効果を奏することが出来る。
又、例え起爆手段に火薬を使用しても、あくまでも爆裂体の破裂用であるため、少量で良く、微小薄片の射出は圧縮気体の膨張を利用するため、爆音や火薬臭を最小限度に抑えて、不快感の誘発を防止することが出来る。
又、起爆手段の操作端末部を筒体外に具備させたので、遠隔操作が可能となり、より安全に操作出来るばかりか、例えば、多数本の本考案品を一度に起爆準備し、適宜タイミングで順次起爆させれば、より華やいだ雰囲気を演出することも出来る。
更には、起爆操作を手動の他、コンピューターを用いて適宜プログラムにより、制御させることも出来る等その実用的効果甚だ大である。
【考案を実施するための最良の形態】
【０００７】
本考案の微小薄片散布器は、パーティーなど催事の席にて、場の雰囲気を盛り上げるために、紙、布、プラスチックフィルム等から成る微小薄片を散布するものである。
微小薄片の形は、適宜であり、例えば花弁を模した形状にしても良いし、星形や月形にしても良い。
以下、本考案の実施例を図面に基づき詳述する。
【実施例１】
【０００８】
図１及び２に示す様に、実施例１の微小薄片散布器は、筒体１の内部の一端側（図面上では下端側）にカタパルト体２を収納し、該カタパルト体２は筒体１の他端側（図面上では上端側）にバネ付勢されると共に、該カタパルト体２に係合及び係合解除可能なストッパー３によって、筒体１の下端側にて係止されており、該カタパルト体２と筒体１の上端との間に微小薄片４、4a…を収納し、筒体１の上端開口部に蓋体５を被着している。
【０００９】
筒体１は、図１〜４に示す様に、下端径に比して上端径がやや小径に形成され、内周中腹部に受止駒６を周設し、該受止駒６の下部から筒体１の下端近くまでに一対のガイド突条７、7aを対向配設している。
【００１０】
一方、カタパルト体２は、図５及び６に示す様に、筒状カタパルト本体８の上端に天板部９を有し、該天板部９の中央に平面視円形の凹部10を設け、該凹部10における底面11の中央にスリット12を開設し、該スリット12の両辺部の中央に切欠部13、13ａを設けており、またカタパルト本体８の下端外周に使用時に筒体１の受止駒６に衝突する衝突駒14を周設し、該衝突駒14には、筒体１のガイド突条７、7aを遊嵌する一対の切込部15、15ａが対向配設され、このカタパルト体２は、カタパルト本体８の中に収納したコイルバネ16によって、上端側に付勢されている。（図１及び２参照）
【００１１】
ストッパー３は、筒体１と略同径の円柱状の基部17の上に、これよりやや小径で筒体１の下端に嵌め込む嵌合部18を形成し、該嵌合部18の上面中央に軸体19を立設し、該軸体19の上部に三角板状の尖頭部20を形成し、該尖頭部20の下辺部を軸体19の両脇に突出させ、この下辺突出部をカタパルト体２のスリット12の長さ方向に向きを合わせて挿通した後、ストッパー３を９０度捻って尖頭部20の下辺突出部をスリット12の幅方向に合わせて、下辺突出部を凹部10の底面11に係合させている。
【００１２】
そして、使用時には、図７に示す様に、ストッパー３を基部17ごと９０度捻り、再び尖頭部20の下辺突出部をスリット12の長さ方向に位置させて、係合を解除する。
すると、カタパルト体２は、ガイド突条７、7aと切込部15、15ａに誘導されつつ、筒体１内部を上方へと勢い良く移動し、微小薄片４、4a…を押し集めながら加速させ、微小薄片４、4a…は圧縮状態にて蓋体５に衝突し、蓋体５を押し飛ばすと共に、空中へと解き放たれて、散布される。
一方、カタパルト体２はその下端外周の衝突駒14が、筒体１中腹部の受止駒６に衝突して、筒体１内に留まる。
【実施例２】
【００１３】
実施例２の微小薄片散布器は、図８に示す様に、容器体21に圧縮気体を封入して爆裂体22を形成し、該爆裂体22を筒体1aの内部一端側（図面上では下端側）に収納している。
容器体21の上端側は薄膜23によって封止されており、爆裂体22の上端側を破裂させる起爆手段24として、薄膜23の上に少量の火薬25と電気火花による点火手段26を収納し、該点火手段26のリード線27を筒体1aの外に導き、該リード線27を点火手段24の操作端末部28に接続している。
火薬25の上には薄板29が載置され、該薄板29上であって爆裂体22と筒体1aの他端（図面上では上端）の間に微小薄片４、4a…を収納し、筒体1aの上端開口部に蓋体５を被着している。
因みに、爆裂体22を形成するには、例えば容器体21に適量の液体窒素や固体炭酸を投入し、その後直ちに封止し、容器体21の内部で液体窒素や固体炭酸を気化させ、圧縮気体とすれば良い。
【００１４】
実施例２の微小薄片散布器によれば、火薬25は少量であるが、圧縮気体の開放で強烈な爆風が発生するため、充分な量の微小薄片４、4a…が勢い良く射出される。
尚、蓋体５は爆風によって微小薄片４、4a…と共に、吹き飛ばされる。
又、コンピューターを用いて適宜プログラムにより、制御させれば、多数の微小薄片散布器を思い通りのタイミングで操ることが可能である。
【実施例３】
【００１５】
実施例３の微小薄片散布器は、爆裂体を用いる点において実施例２のものと同じであるが、起爆手段24に火薬を不要としたものである。
図９〜１１に示す様に、この微小薄片散布器では、圧縮気体を封入した容器体21の上端側はゴム栓30によって密閉され、また圧縮気体による内圧にてゴム栓30が押し出されて、圧縮気体が開放され得る程度に封止されており、この爆裂体31を筒体1bの内部下端側に収納し、ゴム栓30の上部を筒体1bの内部に設けた内蓋32で押圧して、ゴム栓30を押し留める様にしている。
内蓋32は、その一端をヒンジ33を介して筒体1bに連結され、他端をナイロン線34にて、筒体1b内部に設けた電熱体35に締結し、該電熱体35に通電して発熱させるリード線36を筒体1bの外に導き、該リード線36を電熱体35の操作端末部28に接続している。
【００１６】
そして、使用時には電熱体35を発熱させることで、ナイロン線34を焼き切る。
すると、押さえを失ったゴム栓30は爆裂体31の内圧によって押し上げられ、図１１に示す様に、内蓋32を撥ね上げつつ飛び出し、圧縮気体が開放され、爆風が発生して、筒体1bの上端側内部に収納した微小薄片４、4a…を吹き飛ばす。
この様に、起爆手段24を内蓋32、ナイロン線34、及び電熱体35にて構成して、火薬を不要としている。
【００１７】
以上、実施例１〜３では、持ち運びの際、微小薄片４、4a…が筒体１、1a…から漏出するのを防ぐために、筒体１、1a…の上端に蓋体５を設けているが、蓋体５は必ずしも必要ではなく、また蓋体５に替えて、ビニールフィルム等の破断容易な薄膜にて、筒体１、1a…の開口部を閉塞する様にしても良い。
【図面の簡単な説明】
【００１８】
【図１】実施例１の微小薄片散布器の正面側での概略縦断面図である。
【図２】同上側面側での概略縦断面図である。
【図３】同上筒体の概略平面図である。
【図４】同上筒体の概略縦断面図である。
【図５】同上カタパルト体の概略平面図である。
【図６】同上カタパルト体の概略縦断面図である。
【図７】同上微小薄片散布器の微小薄片射出後の正面側での概略縦断面図である。
【図８】実施例２の微小薄片散布器の概略縦断面図である。
【図９】実施例３の微小薄片散布器の概略縦断面図である。
【図１０】図９要部拡大図である。
【図１１】実施例３の微小薄片散布器の微小薄片射出後の要部拡大図である。
【符号の説明】
【００１９】
１        筒体
２        カタパルト体
３        ストッパー
４、4a…  微小薄片
16        コイルバネ
22        爆裂体
24        起爆手段
28        操作端末部
【図１】
0003122818.tif 000003
【図２】
0003122818.tif 000004
【図３】
0003122818.tif 000005
【図４】
0003122818.tif 000006
【図５】
0003122818.tif 000007
【図６】
0003122818.tif 000008
【図７】
0003122818.tif 000009
【図８】
0003122818.tif 000010
【図９】
0003122818.tif 000011
【図１０】
0003122818.tif 000012
【図１１】
0003122818.tif 000013
【手続補正書】
【提出日】平成18年4月20日(2006.4.20)
【手続補正１】
【補正対象書類名】実用新案登録請求の範囲
【補正対象項目名】全文
【補正方法】変更
【補正の内容】
【実用新案登録請求の範囲】
【請求項１】
筒体内の一端側にカタパルト体を収納し、該カタパルト体は筒体の他端側にバネ付勢されると共に、該カタパルト体に係合及び係合解除可能なストッパーによって、筒体一端側にて係止されており、筒体内のカタパルト体と筒体他端の間に紙、布、プラスチックフィルム等から成る微小薄片を収納したことを特徴とする微小薄片散布器。
【手続補正２】
【補正対象書類名】明細書
【補正対象項目名】全文
【補正方法】変更
【補正の内容】
【考案の詳細な説明】
【技術分野】
【０００１】  本考案は、パーティーなど催事の席にて用いる微小薄片散布器に関する。
【背景技術】
【０００２】  従来より、パーティーなど催事の席では、場の雰囲気を盛り上げるために、しばしばクラッカーが使用されている。  クラッカーとは、円錐形の紙筒の中に様々に着色した紙片や紙テープを収納して成り、尖端に設けられた紐を強く引くと、紙筒内に備えた炸薬が爆裂して、爆音と共に紙片や紙テープを撒き散らす様にしたおもちゃである。
【考案の開示】
【考案が解決しようとする課題】
【０００３】  ところが、炸薬爆裂時に大音響が響き、場の雰囲気を盛り上げるどころか、かえって興ざめを招くこともあり、また火薬臭が漂うことから、食事の席には不適である等問題があった。
【課題を解決するための手段】
【０００４】  本考案は、上記課題に鑑み、筒体内にカタパルト体を収納し、該カタパルト体をバネ付勢により駆動し、このカタパルト体によって、筒体内に収納した紙、布、プラスチックフィルム等から成る微小薄片を吹き飛ばす様にして、上記課題を解決する。
【考案の効果】
【０００５】  要するに本考案は、筒体内の一端側にカタパルト体を収納し、該カタパルト体は筒体の他端側にバネ付勢されると共に、該カタパルト体に係合及び係合解除可能なストッパーによって、筒体一端側にて係止されており、筒体内のカタパルト体と筒体他端の間に紙、布、プラスチックフィルム等から成る微小薄片を収納したので、ストッパーの係合解除によりカタパルト体は筒体他端側へと勢い良く移動し、かかるカタパルト体によって、微小薄片を他端側へと加速させて、筒体から飛び出させることが出来る。【０００６】 従って、従前のクラッカー程大きな音を発生せず、また火薬が不要のため、不快な臭いも出ず、食事の席とか、小さな子供や老人が同席する場であっても、安心して安全に使用させることが出来る。
【考案を実施するための最良の形態】
【０００７】  本考案の微小薄片散布器は、パーティーなど催事の席にて、場の雰囲気を盛り上げるために、紙、布、プラスチックフィルム等から成る微小薄片を散布するものである。  微小薄片の形は、適宜であり、例えば花弁を模した形状にしても良いし、星形や月形にしても良い。  以下、本考案の実施例を図面に基づき詳述する。
【実施例１】
【０００８】  図１及び２に示す様に、実施例１の微小薄片散布器は、筒体１の内部の一端側（図面上では下端側）にカタパルト体２を収納し、該カタパルト体２は筒体１の他端側（図面上では上端側）にバネ付勢されると共に、該カタパルト体２に係合及び係合解除可能なストッパー３によって、筒体１の下端側にて係止されており、該カタパルト体２と筒体１の上端との間に微小薄片４、4a…を収納し、筒体１の上端開口部に蓋体５を被着している。【０００９】  筒体１は、図１〜４に示す様に、下端径に比して上端径がやや小径に形成され、内周中腹部に受止駒６を周設し、該受止駒６の下部から筒体１の下端近くまでに一対のガイド突条７、7aを対向配設している。【００１０】  一方、カタパルト体２は、図５及び６に示す様に、筒状カタパルト本体８の上端に天板部９を有し、該天板部９の中央に平面視円形の凹部10を設け、該凹部10における底面11の中央にスリット12を開設し、該スリット12の両辺部の中央に切欠部13、13ａを設けており、またカタパルト本体８の下端外周に使用時に筒体１の受止駒６に衝突する衝突駒14を周設し、該衝突駒14には、筒体１のガイド突条７、7aを遊嵌する一対の切込部15、15ａが対向配設され、このカタパルト体２は、カタパルト本体８の中に収納したコイルバネ16によって、上端側に付勢されている。（図１及び２参照）【００１１】  ストッパー３は、筒体１と略同径の円柱状の基部17の上に、これよりやや小径で筒体１の下端に嵌め込む嵌合部18を形成し、該嵌合部18の上面中央に軸体19を立設し、該軸体19の上部に三角板状の尖頭部20を形成し、該尖頭部20の下辺部を軸体19の両脇に突出させ、この下辺突出部をカタパルト体２のスリット12の長さ方向に向きを合わせて挿通した後、ストッパー３を９０度捻って尖頭部20の下辺突出部をスリット12の幅方向に合わせて、下辺突出部を凹部10の底面11に係合させている。【００１２】  そして、使用時には、図７に示す様に、ストッパー３を基部17ごと９０度捻り、再び尖頭部20の下辺突出部をスリット12の長さ方向に位置させて、係合を解除する。  すると、カタパルト体２は、ガイド突条７、7aと切込部15、15ａに誘導されつつ、筒体１内部を上方へと勢い良く移動し、微小薄片４、4a…を押し集めながら加速させ、微小薄片４、4a…は圧縮状態にて蓋体５に衝突し、蓋体５を押し飛ばすと共に、空中へと解き放たれて、散布される。  一方、カタパルト体２はその下端外周の衝突駒14が、筒体１中腹部の受止駒６に衝突して、筒体１内に留まる。【００１３】 以上、実施例１では、持ち運びの際、微小薄片４、4a…が筒体１から漏出するのを防ぐために、筒体１の上端に蓋体５を設けているが、蓋体５は必ずしも必要ではなく、また蓋体５に替えて、ビニールフィルム等の破断容易な薄膜にて、筒体１の開口部を閉塞する様にしても良い。
【図面の簡単な説明】
【００１４】
【図１】実施例１の微小薄片散布器の正面側での概略縦断面図である。
【図２】同上側面側での概略縦断面図である。
【図３】同上筒体の概略平面図である。
【図４】同上筒体の概略縦断面図である。
【図５】同上カタパルト体の概略平面図である。
【図６】同上カタパルト体の概略縦断面図である。
【図７】同上微小薄片散布器の微小薄片射出後の正面側での概略縦断面図である。
【符号の説明】
【００１５】 １        筒体 ２        カタパルト体 ３        ストッパー ４、4a…  微小薄片 16        コイルバネ
【手続補正３】
【補正対象書類名】図面
【補正対象項目名】図８
【補正方法】削除
【補正の内容】
【手続補正４】
【補正対象書類名】図面
【補正対象項目名】図９
【補正方法】削除
【補正の内容】
【手続補正５】
【補正対象書類名】図面
【補正対象項目名】図１０
【補正方法】削除
【補正の内容】
【手続補正６】
【補正対象書類名】図面
【補正対象項目名】図１１
【補正方法】削除
【補正の内容】